(57)【特許請求の範囲】
【請求項１】
複数の測定機器と、前記各測定機器を制御する制御手段とを備え、前記各測定機器にて測定された被測定物のデータを収集するデータ収集装置であって、
前記制御手段に前記被測定物のデータを収集させるための収集用信号を出力する複数の信号出力手段を備え、
前記制御手段は、
前記各測定機器と、前記各信号出力手段とを関連付けるための関連情報を記憶する記憶部と、
前記収集用信号が出力されると、前記関連情報に基づいて、前記被測定物のデータを前記測定機器ごとに振り分けるデータ振分部と、
前記データ振分部による振り分けに応じて前記被測定物のデータを収集するデータ収集部とを備えることを特徴とするデータ収集装置。
【請求項２】
請求項１に記載のデータ収集装置において、
前記信号出力手段は、フットスイッチで構成されることを特徴とするデータ収集装置。
【発明の詳細な説明】
【技術分野】
【０００１】
本発明は、複数の測定機器にて測定されたデータを収集するデータ収集装置に関する。
【背景技術】
【０００２】
従来、製品の出荷検査や、部品の受け入れ検査などの検査において、複数の測定機器にて測定された被測定物のデータ（以下、測定データとする）を収集するデータ収集装置が知られている（例えば、特許文献１参照）。
特許文献１に記載の計測データ収集装置（データ収集装置）は、計測器（測定機器）から入力される測定データの形式を変更する計測器インターフェイス部を備え、この計測器インターフェイス部にて測定データの形式を変更することによって、異なる種類の複数の計測器から入力される測定データを収集することができる。
【０００３】
ここで、特許文献１に記載の計測データ収集装置は、計測器に測定データを出力させるための命令を各計測器に対して順に送信することで測定データを収集しているので、複数の使用者が同時に被測定物を測定することができない。
したがって、複数の使用者が同時に被測定物を測定するには、複数のデータ収集装置を用いる必要がある。そして、複数のデータ収集装置を用いて測定データを収集した後で各測定データを統合すれば、各測定データを１つの検査用シート等に収集することができる。
【０００４】
図６は、複数のデータ収集装置１００を用いて収集された測定データを統合している状態を示す模式図である。
複数のデータ収集装置１００を用いて収集された測定データを統合するには、例えば、図６に示すように、各測定機器２００にて被測定物を測定し、測定機器２００から出力される測定データをデータ収集装置１００ごとにファイル１１０に保存する。そして、ファイル１１０に保存した各測定データを検査用シート３００の各領域３１０，３２０，３３０（図６中一点鎖線）にそれぞれ入力して統合することによって、各測定データを１つの検査用シート３００に収集する。
【先行技術文献】
【特許文献】
【０００５】
【特許文献１】特開２００３−２７２０７４号公報
【発明の概要】
【発明が解決しようとする課題】
【０００６】
しかしながら、このような方法によると、各使用者は、被測定物を測定機器２００にて測定している間は測定データを共有することができないという問題がある。
また、各使用者は、ファイル１１０に保存した各測定データを検査用シート３００の各領域３１０〜３３０にそれぞれ入力して統合することによって、各測定データを１つの検査用シート３００に収集しなければならないので、測定データの収集に手間がかかり、検査効率が低下するという問題がある。
【０００７】
本発明の目的は、複数の使用者が被測定物を測定機器にて測定している間であっても測定データを共有することができるとともに、容易に測定データを収集することができ、検査効率を向上させることができるデータ収集装置を提供することにある。
【課題を解決するための手段】
【０００８】
本発明のデータ収集装置は、複数の測定機器と、前記各測定機器を制御する制御手段とを備え、前記各測定機器にて測定された被測定物のデータを収集するデータ収集装置であって、前記制御手段に前記被測定物のデータを収集させるための収集用信号を出力する複数の信号出力手段を備え、前記制御手段は、前記各測定機器と、前記各信号出力手段とを関連付けるための関連情報を記憶する記憶部と、前記収集用信号が出力されると、前記関連情報に基づいて、前記被測定物のデータを前記測定機器ごとに振り分けるデータ振分部と、前記データ振分部による振り分けに応じて前記被測定物のデータを収集するデータ収集部とを備えることを特徴とする。
【０００９】
このような構成によれば、データ収集装置は、記憶部と、データ振分部と、データ収集部とを備えるので、使用者は、各信号出力手段に収集用信号を出力させることによって、各信号出力手段に関連付けられた測定機器にて測定された被測定物のデータを収集することができる。また、データ収集部は、データ振分部による振り分けに応じて被測定物のデータを収集するので、複数の使用者が各測定機器と、各信号出力手段とをそれぞれ用いて被測定物を測定すれば、１つのデータ収集装置を用いて複数の使用者が同時に被測定物を測定することができる。
したがって、本発明によれば、複数の使用者が被測定物を測定機器にて測定している間であっても測定データを共有することができるとともに、容易に測定データを収集することができ、検査効率を向上させることができる。
【００１０】
本発明では、前記信号出力手段は、フットスイッチで構成されることが好ましい。
【００１１】
ここで、製品の出荷検査や、部品の受け入れ検査などの検査は、油や粉塵などが使用者の手に付着しやすい環境で行われることが多いので、例えば、信号出力手段をキーボードにおける所定のキーなどで構成すると、キーボードなどを操作して収集用信号を出力させる際に使用者の手に付着した油や粉塵などがキーボードなどに付着してしまうという問題がある。
本発明によれば、信号出力手段は、フットスイッチで構成されるので、キーボードなどを操作することなく収集用信号を出力させることができる。したがって、使用者の手に付着した油や粉塵などがキーボードなどに付着してしまうことを防止することができる。
【図面の簡単な説明】
【００１２】
【図１】本発明の一実施形態に係るデータ収集装置を示す図。
【図２】本発明の一実施形態に係るＰＣ本体の詳細構成を示すブロック図。
【図３】本発明の一実施形態に係るディスプレイに表示される検査用シートを示す図。
【図４】本発明の一実施形態に係るデータ収集装置によるデータ収集方法を示すフローチャート。
【図５】本発明の一実施形態に係るディスプレイに表示される検査用シートに全ての測定データが収集された状態を示す図。
【図６】複数のデータ収集装置を用いて収集された測定データを統合している状態を示す模式図。
【発明を実施するための形態】
【００１３】
以下、本発明の一実施形態を図面に基づいて説明する。
〔データ収集装置の概略構成〕
図１は、本発明の一実施形態に係るデータ収集装置１を示す図である。
データ収集装置１は、図１に示すように、３つのノギス１０（１０Ａ〜１０Ｃ）と、各ノギス１０を制御するＰＣ（Personal Computer）２とを備え、製品の出荷検査や、部品の受け入れ検査などの検査において、各ノギス１０にて測定された被測定物Ｘのデータを収集するものである。また、データ収集装置１は、ＰＣ２にＵＳＢハブ３を介して接続される３つのフットスイッチ４（４Ａ〜４Ｃ）を備える。なお、本実施形態では、被測定物Ｘの寸法を測定する各ノギス１０を測定機器として例示している。
制御手段としてのＰＣ２は、ＰＣ本体２１と、キーボード２２と、データ収集装置１にて収集される測定データを表示させるディスプレイ２３とを備える。
各ノギス１０は、ＰＣ２からの要求に応じてＰＣ２に測定データを出力するものであり、ＰＣ２にＵＳＢハブ３を介して接続されている。
【００１４】
図２は、ＰＣ本体２１の詳細構成を示すブロック図である。
ＰＣ本体２１は、ＣＰＵ（Central Processing Unit）や、メモリなどで構成され、図２に示すように、ＰＣ本体２１で用いられる情報を記憶する記憶部２１１と、データ振分部２１２と、データ収集部２１３とを備える。なお、記憶部２１１には、データ収集装置１にて測定データを収集するための検査プログラムが記憶されている。そして、データ収集装置１は、この検査プログラムを実行することで測定データを収集する。
【００１５】
記憶部２１１は、各ノギス１０と、各フットスイッチ４とを関連付けるための関連情報を記憶する。
なお、本実施形態では、ＰＣ本体２１は、ディスプレイ２３にメニュー画面（図示略）を表示させることによって、使用者に、キーボード２２を介して関連情報を設定させることができるように構成されている。
また、以下の説明では、関連情報は、ノギス１０Ａと、フットスイッチ４Ａとを関連付け、ノギス１０Ｂと、フットスイッチ４Ｂとを関連付け、ノギス１０Ｃと、フットスイッチ４Ｃとを関連付けているものとする。
【００１６】
データ振分部２１２は、フットスイッチ４が操作されると、記憶部２１１に記憶された関連情報に基づいて、被測定物Ｘのデータをノギス１０ごとに振り分ける。
データ収集部２１３は、データ振分部２１２による振り分けに応じて被測定物Ｘのデータを収集する。
すなわち、フットスイッチ４Ａ〜４Ｃは、ＰＣ２に被測定物Ｘのデータを収集させるための収集用信号を出力する複数の信号処理手段として機能する。そして、データ振分部２１２は、収集用信号が出力されると、記憶部２１１に記憶された関連情報に基づいて、被測定物Ｘのデータをノギス１０ごとに振り分ける。したがって、例えば、フットスイッチ４Ａが操作されると、データ収集部２１３は、ノギス１０Ａにて測定された被測定物Ｘのデータを収集することになる。
【００１７】
〔データ収集装置によるデータ収集方法〕
次に、データ収集装置１にてデータを収集する方法について、図１中破線で示すように、３人の使用者Ａ，Ｂ，Ｃがノギス１０Ａ〜１０Ｃと、フットスイッチ４Ａ〜４Ｃとをそれぞれ用いることによって、被測定物Ｘを同時に測定する場合を例示して説明する。
【００１８】
図３は、ディスプレイ２３に表示される検査用シート５を示す図である。
データ収集装置１は、記憶部２１１に記憶された検査プログラムが実行されると、図３に示すように、検査用シート５をディスプレイ２３に表示させる。
検査用シート５は、ＰＣ２からの要求に応じて各ノギス１０から出力される測定データを収集する測定データ領域５１，５２，５３（図３中一点鎖線）で構成されている。なお、検査用シート５のその他の領域には、データが予め入力されている。
【００１９】
図４は、データ収集装置１によるデータ収集方法を示すフローチャートである。
データ収集装置１は、記憶部２１１に記憶された検査プログラムが実行されると、図４に示すように、以下のステップＳ１〜Ｓ３を実行する。
まず、データ振分部２１２は、フットスイッチ４が操作されることで収集用信号が出力されたか否かを判定する（Ｓ１：判定ステップ）。
判定ステップＳ１にて収集用信号が出力されたと判定されると、データ振分部２１２は、記憶部２１１に記憶された関連情報に基づいて、被測定物Ｘのデータをノギス１０ごとに振り分ける（Ｓ２：データ振り分けステップ）。
【００２０】
具体的に、使用者Ａがフットスイッチ４Ａを操作すると、データ振分部２１２は、記憶部２１１に記憶された関連情報に基づいて、被測定物Ｘのデータを測定データ領域５１に振り分ける（図３参照）。また、使用者Ｂがフットスイッチ４Ｂを操作すると、データ振分部２１２は、被測定物Ｘのデータを測定データ領域５２に振り分け、使用者Ｃがフットスイッチ４Ｃを操作すると、データ振分部２１２は、被測定物Ｘのデータを測定データ領域５３に振り分ける（図３参照）。
【００２１】
データ振り分けステップＳ２にてデータが振り分けられると、図４に示すように、データ収集部２１３は、データ振分部２１２による振り分けに応じて被測定物Ｘのデータを収集する（Ｓ３：データ収集ステップ）。
具体的に、データ収集部２１３は、フットスイッチ４が操作されて測定データが収集される度に、図３中矢印で示すように、測定データ領域５１〜５３ごとに予め設定されている順序に従って測定データを収集する。
【００２２】
図５は、ディスプレイ２３に表示される検査用シート５に全ての測定データが収集された状態を示す図である。
各使用者Ａ〜Ｃにて各１５個の全ての被測定物Ｘが測定されると、図５に示すように、各測定データ領域５１〜５３に測定データが収集される。
【００２３】
このような本実施形態によれば以下の効果がある。
（１）データ収集装置１は、記憶部２１１と、データ振分部２１２と、データ収集部２１３とを備えるので、使用者Ａ〜Ｃは、各フットスイッチ４Ａ〜４Ｃに収集用信号を出力させることによって、各フットスイッチ４Ａ〜４Ｃに関連付けられたノギス１０Ａ〜１０Ｃにて測定された被測定物Ｘのデータを収集することができる。
【００２４】
（２）１つのデータ収集装置１を用いて複数の使用者Ａ〜Ｃが同時に被測定物Ｘを測定することができるので、複数の使用者Ａ〜Ｃが被測定物Ｘをノギス１０Ａ〜１０Ｃにて測定している間であっても測定データを共有することができるとともに、容易に測定データを収集することができ、検査効率を向上させることができる。
（３）信号出力手段は、フットスイッチ４で構成されるので、キーボードなどを操作することなく収集用信号を出力させることができる。したがって、使用者Ａ〜Ｃの手に付着した油や粉塵などがキーボードなどに付着してしまうことを防止することができる。
【００２５】
〔実施形態の変形〕
なお、本発明は前記実施形態に限定されるものではなく、本発明の目的を達成できる範囲での変形、改良等は本発明に含まれるものである。
例えば、前記実施形態では、信号出力手段としてフットスイッチ４を採用していたが、例えば、キーボードにおける所定のキーや、データ収集装置に接続されたフットスイッチとは異なる種類のスイッチなどを採用してもよい。要するに、信号出力手段は、制御手段に被測定物のデータを収集させるための収集用信号を出力することができるものであればよい。
前記実施形態では、フットスイッチ４は、ＰＣ２にＵＳＢハブ３を介して接続されていたが、信号出力手段は、測定機器や、測定機器、及び制御手段を接続するためのケーブルのコネクタなどに設けられていてもよい。要するに、データ収集装置は、信号出力手段を備えていればよい。
【産業上の利用可能性】
【００２６】
本発明は、複数の測定機器にて測定されたデータを収集するデータ収集装置に好適に利用することができる。
【符号の説明】
【００２７】
１…データ収集装置
２…ＰＣ（制御手段）
４…フットスイッチ（信号出力手段）
１０…ノギス（測定機器）
２１１…記憶部
２１２…データ振分部
２１３…データ収集部
【図１】
0005416031.tif 000002
【図２】
0005416031.tif 000003
【図３】
0005416031.tif 000004
【図４】
0005416031.tif 000005
【図５】
0005416031.tif 000006
【図６】
0005416031.tif 000007